(57)【要約】【課題】塵埃貯留容器内の塵埃貯留量を簡易に検出することである。【解決手段】ケーシング（34）内に、エアフィルタ（40）の塵埃を除去する回転ブラシ（51）と、除去された塵埃が貯留される塵埃貯留容器（60）が設けられている。室内ファン（39）の吹出空気が流入して塵埃貯留容器（60）へ流れる供給側ダクト（71）と、塵埃貯留容器（60）に貯留された塵埃が空気と共にケーシング（34）外へ排出される排出側ダクト（74）とが設けられている。塵埃貯留容器（60）における塵埃貯留部の上流側には、風速センサ（S）が設けられている。風速センサ（S）の検出値に基づいて塵埃貯留容器（60）の塵埃貯留量が推測される。【選択図】図４
2009103342.tif 000002
【特許請求の範囲】
【請求項１】
ケーシング（34）内に、室内熱交換器（37）と、室内から空気を吸い込んで上記室内熱交換器（37）へ吹き出す室内ファン（39）と、該室内ファン（39）の吸い込み側に設けられるエアフィルタ（40）とを備えた空気調和装置の室内ユニットであって、
上記エアフィルタ（40）に捕捉された塵埃を除去する塵埃除去手段（50）と、
上記塵埃除去手段（50）によって除去された塵埃を貯留する塵埃貯留容器（60）と、
上記室内ファン（39）の吹出空気を上記塵埃貯留容器（60）に導入して、上記塵埃貯留容器（60）に貯留された塵埃を空気と共に所定位置まで搬送する空気通路（71,74）と、
上記塵埃貯留容器（60）または上記空気通路（71,74）に設けられ、空気の流速を検出する流速検出手段（S）とを備えている
ことを特徴とする空気調和装置の室内ユニット。
【請求項２】
請求項１において、
上記流速検出手段（S）は、上記塵埃貯留容器（60）の塵埃貯留部よりも上流側に設けられている
ことを特徴とする空気調和装置の室内ユニット。
【請求項３】
請求項１または２において、
上記空気通路（71,74）は、上記室内熱交換器（37）を通過する前の上記室内ファン（39）の吹出空気が塵埃貯留容器（60）へ導入されるように構成されている
ことを特徴とする空気調和装置の室内ユニット。
【請求項４】
請求項１または２において、
上記空気通路（71,74）には、上記室内ファン（39）の吹出空気が導入される導入口を開閉する開閉手段（72）が設けられている
ことを特徴とする空気調和装置の室内ユニット。
【発明の詳細な説明】
【技術分野】
【０００１】
本発明は、空気調和装置の室内ユニットに関し、特に、エアフィルタから除去した塵埃を室内ファンの吹出空気によって搬送するものである。
【背景技術】
【０００２】
従来より、空気の吸込口にエアフィルタを備えた空気調和装置の室内ユニットにおいて、エアフィルタに捕捉された塵埃を除去するための除塵手段が設けられているものが知られている。この種の室内ユニットでは、除去された塵埃が貯留される貯留箱が設けられ、ユーザーがその貯留箱を室内ユニットから取り出して塵埃を捨てる必要がある。しかしながら、この種の室内ユニットは、一般に、室内の高所に設置されているため、特に高齢者や女性にとっては貯留箱の出し入れが煩わしいという問題があった。
【０００３】
そこで、エアフィルタから除去された塵埃を自動的に室内ユニット外（室外）へ排出する機能を備えた空気調和装置が例えば特許文献１に開示されている。
【０００４】
具体的に、特許文献１の空気調和装置は、室内ユニット内にエアフィルタの塵埃を除去するための除塵手段（ゴミ取り箱）が設けられている。また、室外ユニット内には、ゴミ回収箱と真空吸引ファンが設けられている。そして、室内ユニットのゴミ取り箱と室外ユニットのゴミ回収箱とがゴミ搬送管によって接続されている。この空気調和装置では、ゴミ取り箱によってエアフィルタからゴミ（塵埃）が除去され、そのゴミが真空吸引ファンによってゴミ回収箱に吸い込まれる。これにより、ユーザーの手を煩わすことなく、エアフィルタに捕捉されたゴミがユニット外に排出される。
【特許文献１】特開２００４−３０１３６３号公報
【発明の開示】
【発明が解決しようとする課題】
【０００５】
しかしながら、上述した特許文献１の空気調和装置では、ゴミ取り箱から塵埃が全部回収されたかどうかを判断するのが困難という問題があった。したがって、ゴミ取り箱から塵埃を回収する回収運転の終了タイミングが計りにくいという問題があった。これにより、例えば、ゴミ取り箱の塵埃が全て回収されたにも拘わらず、なおも吸引動作を行い続けることになり、無駄な運転をしてしまうこととなる。また、終了タイミングが早すぎると、ゴミ取り箱の塵埃を回収しきれないこととなる。
【０００６】
本発明は、斯かる点に鑑みてなされたものであり、その目的は、エアフィルタから除去した塵埃が貯留される塵埃貯留容器へ空気を導入してその空気と共に塵埃を所定位置まで搬送する機能を備えた空気調和装置の室内ユニットにおいて、塵埃貯留容器の塵埃貯留量を簡易に検出することである。
【課題を解決するための手段】
【０００７】
第１の発明は、ケーシング（34）内に、室内熱交換器（37）と、室内から空気を吸い込んで上記室内熱交換器（37）へ吹き出す室内ファン（39）と、該室内ファン（39）の吸い込み側に設けられるエアフィルタ（40）とを備えた空気調和装置の室内ユニットを前提としている。そして、本発明の室内ユニットは、上記エアフィルタ（40）に捕捉された塵埃を除去する塵埃除去手段（50）と、上記塵埃除去手段（50）によって除去された塵埃を貯留する塵埃貯留容器（60）と、上記室内ファン（39）の吹出空気を上記塵埃貯留容器（60）に導入して、上記塵埃貯留容器（60）に貯留された塵埃を空気と共に所定位置まで搬送する空気通路（71,74）と、上記塵埃貯留容器（60）または上記空気通路（71,74）に設けられ、空気の流速を検出する流速検出手段（S）とを備えているものである。
【０００８】
上記の発明では、室内ファン（39）によってケーシング（10）内に吸い込まれた空気がエアフィルタ（40）を通過する際に、その空気に含まれる塵埃がエアフィルタ（40）に捕捉される。エアフィルタ（40）に捕捉された塵埃は、塵埃除去手段（50）によって除去され、塵埃貯留容器（60）に貯留される。この塵埃貯留容器（60）の塵埃は、空気通路（71,74）を介して導入された室内ファン（39）の吹出空気によって所定位置（例えば、ケーシング（34）外）に搬送される。つまり、エアフィルタ（40）から除去された塵埃が室内ファン（39）の吹出空気を利用して別の場所に搬送される。
【０００９】
ここで、塵埃貯留容器（60）または空気通路（71,74）における空気の流速（即ち、風速）が流速検出手段（S）によって検出される。そして、本発明では、室内ファン（39）の吹出空気が塵埃貯留容器（60）へ導入されてから流速検出手段（S）による風速が所定値以上に増大すると、塵埃貯留容器（60）の塵埃が所定位置に搬送されたと判定され、吹出空気の導入が停止される。また、吹出空気の導入が開始されてから所定時間が経過しても、流速検出手段（S）の風速がなかなか増大しないと、空気通路（71,74）において塵埃等による詰まりが生じたと判定される。つまり、本発明は、空気流速から空気の流通抵抗の変化（増減）を検知することにより、塵埃貯留量や空気通路（71,74）における詰まり等を検出するようにした。
【００１０】
第２の発明は、上記第１の発明において、上記流速検出手段（S）が上記塵埃貯留容器（60）の塵埃貯留部よりも上流側に設けられているものである。
【００１１】
上記の発明では、流速検出手段（S）によって塵埃貯留部よりも上流側の空気流速が検出される。つまり、流速検出手段（S）が塵埃貯留部よりも下流側に設けられた場合に比べて、塵埃が混入していない空気の流速が検出される。
【００１２】
第３の発明は、上記第１または第２の発明において、上記空気通路（71,74）は、上記室内熱交換器（37）を通過する前の上記室内ファン（39）の吹出空気が塵埃貯留容器（60）へ導入されるように構成されているものである。
【００１３】
上記の発明では、塵埃除去手段（50）で除去された塵埃が室内熱交換器（37）へ供給される前の空気によって所定位置まで搬送される。
【００１４】
第４の発明は、上記第１または第２の発明において、上記空気通路（71,74）には、上記室内ファン（39）の吹出空気が導入される導入口を開閉する開閉手段（72）が設けられているものである。
【００１５】
上記の発明では、室内ファン（39）の吹出空気が導入される空気通路（71,74）の導入口が開閉手段（72）によって任意に開閉される。例えば、その導入口は、通常運転時には開閉手段（72）によって閉じられ、エアフィルタ（40）の清掃時には開閉手段（72）によって開かれる。これにより、フィルタ清掃の必要なときにだけ、室内ファン（39）の吹出空気が塵埃貯留容器（60）へ導入される。
【発明の効果】
【００１６】
以上のように、本発明によれば、塵埃貯留容器（60）または空気通路（71,74）に空気の流速検出手段（S）を設けるようにした。これにより、塵埃貯留容器（60）および空気通路（71,74）における空気の流通抵抗の増減を検知することができる。そして、この空気の流通抵抗の増減に基づいて、塵埃貯留容器（60）における塵埃貯留量（即ち、塵埃の充填度）や、空気通路（71,74）における詰まりを検出することができる。その結果、室内ファン（39）の吹出空気による塵埃の搬送動作の停止タイミングを適切に図ることができ、また空気通路（71,74）における塵埃等による詰まりを早期に検出することができる。よって、信頼性の高い室内ユニットを提供することができる。
【００１７】
また、第２の発明によれば、流速検出手段（S）を塵埃貯留部よりも上流側に設けるようにした。したがって、塵埃が存在しない場所での空気流速を検出することができる。これにより、流速検出手段（S）のセンシングが塵埃によって影響を受けないため、風速の検出精度が高まる。その結果、塵埃の搬送動作の停止タイミング等を一層適切に図ることができる。さらに、塵埃による流速検出手段（S）の劣化を抑制することができる。以上により、室内ユニットの信頼性を一層向上させることができる。
【００１８】
また、第３の発明によれば、室内熱交換器（37）に流れる前の空気を塵埃貯留容器（60）に導入するようにした。したがって、例えば冷房時の場合、室内熱交換器（37）で冷却される前の空気を塵埃貯留容器（60）に導入するため、塵埃貯留容器（60）において冷気による結露発生を防止することができる。これにより、流速検出手段（S）を結露から保護することができる。その結果、信頼性の向上をさらに図ることができると共に、結露防止手段を別途設ける必要がないため低コスト化および小型化を図ることができる。
【００１９】
また、第４の発明によれば、空気通路（71,74）の空気導入口に開閉手段（72）を設けるようにした。したがって、エアフィルタ（40）を清掃する必要なときに開閉手段（72）を開くことで、室内ファン（39）の吹出空気を塵埃貯留容器（60）へ導入させることができる。そのため、室内ファン（39）の吹出空気が無駄に塵埃貯留容器（60）に供給されるのを防止することができる。これにより、通常運転時には、室内ファン（39）の吹出空気の全部を室内熱交換器（37）へ供給することができる。その結果、居住者の快適性を低下させずにすむ。
【発明を実施するための最良の形態】
【００２０】
以下、本発明の実施形態を図面に基づいて詳細に説明する。
【００２１】
本実施形態は、本発明に係る室内ユニット（13）を備えた空気調和装置（10）である。この空気調和装置（10）では、室内ユニット（13）が室内空間の天井に設置される。なお、以下では、先ず本実施形態に係る空気調和装置（10）について説明し、次に本発明に係る室内ユニット（13）について説明する。
【００２２】
図１に示すように、上記空気調和装置（10）は、室外ユニット（11）と室内ユニット（13）とを備えている。室外ユニット（11）には、圧縮機（30）、室外熱交換器（35）、膨張弁（36）、四路切換弁（33）および室外ファン（12）が設けられている。室内ユニット（13）には、室内熱交換器（37）および室内ファン（39）が設けられている。
【００２３】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００２４】
上記室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００２５】
上記室外ファン（12）は、室外熱交換器（35）の近傍に設けられている。室外熱交換器（35）では、室外ファン（12）によって送られる室外空気と流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００２６】
上記四路切換弁（33）は、第１ポート（P1）と第２ポート（P2）が互いに連通し且つ第３ポート（P3）と第４ポート（P4）が互いに連通する第１状態（図１に実線で示す状態）と、第１ポート（P1）と第４ポート（P4）が互いに連通し且つ第２ポート（P2）と第３ポート（P3）が互いに連通する第２状態（図１に破線で示す状態）とが切り換え可能になっている。
【００２７】
この空気調和装置（10）では、四路切換弁（33）が第１状態の場合、暖房運転が行われ、四路切換弁（33）が第２状態の場合、冷房運転が行われる。暖房運転では、冷媒回路（18）において、室外熱交換器（35）が蒸発器として機能し且つ室内熱交換器（37）が凝縮器として機能する蒸気圧縮式冷凍サイクルが行われる。一方、冷房運転では、冷媒回路（18）において、室外熱交換器（35）が凝縮器として機能し且つ室内熱交換器（37）が蒸発器として機能する蒸気圧縮式冷凍サイクルが行われる。
【００２８】
〈室内ユニットの構成〉
図２から図４に示すように、上記室内ユニット（13）は、ケーシング本体（26）と化粧パネル（27）とを有するケーシング（34）を備えている。ケーシング（34）内には、室内熱交換器（37）、ドレンパン（38）、室内ファン（39）、エアフィルタ（40）、塵埃除去手段（50）、塵埃貯留容器（60）および塵埃搬送手段（70）が設けられている。
【００２９】
上記ケーシング本体（26）は、下側が開放された略直方体の箱状に形成されている。ケーシング本体（26）の内面には、断熱材（17）が積層されている。ケーシング本体（26）は、下部が天井板の開口に挿通する状態で設置される。
【００３０】
上記化粧パネル（27）は、矩形の板状に形成されている。化粧パネル（27）の平面視形状は、ケーシング本体（26）の平面視形状よりも一回り大きくなっている。化粧パネル（27）は、シール部材（19）を間に挟んだ状態でケーシング本体（26）の下側を覆うように取り付けられる。化粧パネル（27）がケーシング本体（26）に取り付けられた状態では、化粧パネル（27）が室内に露出する。
【００３１】
図５にも示すように、上記化粧パネル（27）には、１つの吸込口（22）と４つの吹出口（23）とが形成されている。吸込口（22）は、矩形状に形成され、化粧パネル（27）の中央部に形成されている。吸込口（22）には、スリット状に形成された吸込グリル（29）が嵌め込まれている。各吹出口（23）は、細長い矩形状に形成されている。各吹出口（23）は、化粧パネル（27）の各辺に沿うように形成されている。そして、各吹出口（23）には、風向調整板（23a）が設けられている（図２等参照）。この風向調整板（23a）は、回動して風向（吹出方向）を調整するものである。
【００３２】
上記室内ファン（39）は、いわゆるターボファンである。室内ファン（39）は、ケーシング本体（26）の中央付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。このベルマウス（25）は、ケーシング（34）内において、室内熱交換器（37）の上流側の空間を室内ファン（39）側と吸込グリル（29）側とに区画している。室内ファン（39）は、ベルマウス（25）を介して下側から吸い込んだ空気を周方向へ吹き出すように構成されている。
【００３３】
上記室内熱交換器（37）は、クロスフィン式のフィン・アンド・チューブ型熱交換器として構成されている。室内熱交換器（37）は、平面視でロ字状に形成され、室内ファン（39）の周囲を囲むように配置されている。室内熱交換器（37）では、室内ファン（39）によって送られる室内空気（吹出空気）と流通する冷媒との間で熱交換が行われる。
【００３４】
上記ドレンパン（38）は、室内熱交換器（37）の下側に設けられている。ドレンパン（38）は、室内熱交換器（37）において空気中の水分が凝縮して生じるドレン水を受けるためのものである。ドレンパン（38）には、ドレン水を排水するためのドレンポンプが設けられている（図示省略）。ドレンパン（38）は、ドレンポンプを設置した箇所にドレン水が集まるように勾配がつけられている。
【００３５】
上記エアフィルタ（40）は、長いシート状に形成され、ベルマウス（25）の下側（入口側）に配置されている。エアフィルタ（40）は、図６に示すように、平面視矩形状のフィルタ本体（41）と、巻取り部（42）とを備えている。フィルタ本体（41）は、ベルマウス（25）の入口を覆う大きさに形成され、室内ファン（39）に吸い込まれる室内空気中の塵埃を捕捉する部分である。巻取り部（42）は、フィルタ本体（41）の一対の対向する各辺に接続されており、後述する塵埃除去手段（50）の第１巻取ドラム（53）および第２巻取ドラム（54）に巻き取られる部分である。また、フィルタ本体（41）の巻取り部（42）が接続されていない各辺（以下、側辺という。）には、ダンパ用突片（43）および容器用突片（44）が形成されている。ダンパ用突片（43）は、フィルタ本体（41）の端部に形成されている。容器用突片（44）は、概ね、側辺全体に亘って形成されている。
【００３６】
上記塵埃除去手段（50）は、エアフィルタ（40）に捕捉された塵埃を除去するためのものである。塵埃除去手段（50）は、ブラシ部材である回転ブラシ（51）と、フィルタ移動手段（52）とを備えている。
【００３７】
上記フィルタ移動手段（52）は、エアフィルタ（40）を所定位置に保持する一方、エアフィルタ（40）を回転ブラシ（51）に対して往復動させるためのものである。フィルタ移動手段（52）は、第１巻取ドラム（53）、第２巻取ドラム（54）およびガイドローラ（55）を備えている。
【００３８】
上記第１巻取ドラム（53）および第２巻取ドラム（54）は、ベルマウス（25）の下側で且つその入口より外側に配置されている。第１巻取ドラム（53）は図２における右側（以下、後方側という。）に位置し、第２巻取ドラム（54）は図２における左側（以下、前方側という。）に位置している。各巻取ドラム（53,54）は、駆動モータ（56）によって可逆に回転駆動されて、エアフィルタ（40）の巻取り部（42）を巻き取るように構成されている。これにより、エアフィルタ（40）のフィルタ本体（41）が前方側または後方側へ移動する。ガイドローラ（55）は、第１巻取ドラム（53）のやや前方側に配置されている。このガイドローラ（55）は、エアフィルタ（40）の巻取り部（42）を下から支持すると共に、エアフィルタ（40）の移動に従って回転するように構成されている。
【００３９】
なお、上記ベルマウス（25）の下面には、入口周囲を囲むように形成された枠状のガイド部材（57）が取り付けられている（図２および図４を参照）。このガイド部材（57）は、エアフィルタ（40）の上から該エアフィルタ（40）の移動をガイドするためのものである。
【００４０】
上記回転ブラシ（51）は、棒状のシャフト部と、シャフト部の周囲の複数の植毛により構成されたブラシ部とを備えている。回転ブラシ（51）は、後述する塵埃貯留容器（60）のブラシ用開口（62）に設けられて、エアフィルタ（40）の下側の前方側に配置されている。回転ブラシ（51）は、フィルタ本体（41）が移動して、ブラシ部がそのフィルタ本体（41）に接触することで塵埃を除去するように構成されている。なお、回転ブラシ（51）は、ガイド部材（57）との間でエアフィルタ（40）を挟み込むような位置に配置されている。したがって、フィルタ本体（41）が確実に回転ブラシ（51）に押し付けられて、塵埃の除去効率が向上する。
【００４１】
上記塵埃貯留容器（60）は、回転ブラシ（51）によって除去された塵埃が貯留されるものである。塵埃貯留容器（60）は、図７にも示すように、やや細長い直方体状の容器である。塵埃貯留容器（60）は、エアフィルタ（40）の下側の前方側において該エアフィルタ（40）を横断するように配置されている。そして、上述したように、塵埃貯留容器（60）の上面に形成されたブラシ用開口（62）に回転ブラシ（51）が設けられている。
【００４２】
上記塵埃貯留容器（60）は、前方側の面が円弧状に膨出した円弧部（61）になっている。エアフィルタ（40）は、この円弧部（61）に沿って折り返されて、第２巻取ドラム（54）に巻き取られる。また、塵埃貯留容器（60）の幅方向に沿った面（以下、側面という。）の一方と後方側の面（以下、後面という。）には、後述する塵埃搬送手段（70）のフレキシブル管（75）が接続されるダクト用開口（63）がそれぞれ形成されている。
【００４３】
上記塵埃貯留容器（60）は、エアフィルタ（40）の移動によって回動するように構成されている。図８にも示すように、塵埃貯留容器（60）には、その長さ方向に貫通する回動軸（65）が設けられると共に、上面の端部に突出したフィルタ作用部（64）が設けられている。塵埃貯留容器（60）は、通常運転時には、後方側がスプリング（66）の付勢力によって上向きに回動する（図８（ａ）参照）。この状態では、塵埃貯留容器（60）の後方側とガイド部材（57）との間がシールされるシール部を構成し、塵埃貯留容器（60）の内部と室内ファン（39）の吸込側とが遮断される。また、塵埃貯留容器（60）は、フィルタ清掃時には、エアフィルタ（40）が移動してそのエアフィルタ（40）の容器用突片（44）がフィルタ作用部（64）に接触することで、下向きに押し下げられて回動するように構成されている（図８（ｂ）参照）。この状態では、上述したシール部が開口し、フィルタ本体（41）が塵埃貯留容器（60）とガイド部材（57）との間を通過し易くなる。以上のように、回動軸（65）、フィルタ作用部（64）およびスプリング（66）は、エアフィルタ（40）の移動によって塵埃貯留容器（60）を回動させる回動機構を構成している。
【００４４】
上記塵埃搬送手段（70）は、室内ファン（39）の吹出空気を塵埃貯留容器（60）へ導入して、該塵埃貯留容器（60）から塵埃を空気と共にケーシング（34）外へ搬送（排出）するもので、供給側ダクト（71）および排出側ダクト（74）を備えている。つまり、この塵埃搬送手段（70）は、室内ファン（39）の吹出空気を利用して塵埃貯留容器（60）の塵埃を所定位置まで搬送するように構成されている。
【００４５】
上記供給側ダクト（71）および排出側ダクト（74）は、ベルマウス（25）の下側空間に配置されている。供給側ダクト（71）は、出口端がフレキシブル管（73）を介して塵埃貯留容器（60）の後面のダクト用開口（63）に接続されている。排出側ダクト（74）は、入口端がフレキシブル管（75）を介して塵埃貯留容器（60）の側面のダクト用開口（63）に接続されている。
【００４６】
上記供給側ダクト（71）は、入口側開口が室内ファン（39）の配置空間に連通するように構成され、その開口部に開閉自在なダンパ（72）が設けられている。つまり、供給側ダクト（71）の入口側開口が室内ファン（39）の吹出側と室内熱交換器（37）との間に位置している。図９に示すように、このダンパ（72）は、エアフィルタ（40）の移動によって開閉するように構成されている。具体的に、供給側ダクト（71）の内部には、一端がダンパ（72）の開閉蓋（72a）に取り付けられる開閉用レバー（81）が設けられている。開閉用レバー（81）は、途中箇所に回動軸（82）を有して、該回動軸（82）を中心にして回動するように構成されている。開閉用レバー（81）の他端は、供給側ダクト（71）の上面の開口孔から出没するフィルタ作用部（81a）になっている。
【００４７】
つまり、上記供給側ダクト（71）の入口側開口は、室内熱交換器（37）を通過する前の室内ファン（39）の吹出空気が導入される導入口を構成している。また、ダンパ（72）は、その塵埃搬送手段（70）の導入口を開閉する開閉手段を構成している。
【００４８】
以上の構成により、ダンパ（72）は、通常運転時には、開閉用レバー（81）の一端側（ダンパ（72）側）がスプリング（83）によって下向きに付勢され、開閉蓋（72a）が閉じられるようになっている（図９（ａ）参照）。これにより、室内ファン（39）の吹出空気は、供給側ダクト（71）へは流入しない。なお、この状態では、開閉用レバー（81）のフィルタ作用部（81a）が供給側ダクト（71）の上面開口孔から突出した状態になる。また、ダンパ（72）は、フィルタ清掃時には、エアフィルタ（40）の移動によってそのエアフィルタ（40）のダンパ用突片（43）がフィルタ作用部（81a）に接触することで、該フィルタ作用部（81a）が供給側ダクト（71）内に没入するようになっている（図９（ｂ）参照）。この状態では、開閉用レバー（81）の一端側が上向きに回動して、ダンパ（72）の開閉蓋（72a）が開く。これにより、室内ファン（39）の吹出空気がダンパ（72）から供給側ダクト（71）へ流入し、塵埃貯留容器（60）へ供給される。
【００４９】
上記排出側ダクト（74）は、出口端がケーシング本体（26）の側壁を貫通して、図示しないが室内の天井裏まで延びている。つまり、この排出側ダクト（74）は、塵埃貯留容器（60）に貯留された塵埃が供給側ダクト（71）からの空気と共に天井裏に搬送（排出）されるように構成されている。また、本実施形態では、図示しないが、天井裏まで導かれた塵埃がそのまま天井裏に溜められる。このように、供給側ダクト（71）および排出側ダクト（74）は、室内ファン（39）の吹出空気を塵埃貯留容器（60）に導入して、その塵埃貯留容器（60）に貯留された塵埃を空気と共に天井裏まで搬送する空気通路を構成している。
【００５０】
また、上記室内ユニット（13）には、本発明の特徴として、風速センサ（S）が設けられている。具体的に、この風速センサ（S）は、塵埃貯留容器（60）における供給側ダクト（71）側の端部（即ち、図３における上側端部）に設けられている。つまり、塵埃貯留容器（60）において、塵埃が貯留される塵埃貯留部よりも空気流れの上流側に風速センサ（S）が配置されている。風速センサ（S）は、供給側ダクト（71）から塵埃貯留容器（60）へ導入された空気の流速（即ち、風速）を検出する流速検出手段を構成している。そして、上記フィルタ移動手段（52）は、風速センサ（S）の検出値に基づいて駆動制御される。この駆動制御の詳細については、後述する。
【００５１】
〈フィルタ清掃動作〉
本実施形態の空気調和装置（10）は、冷暖房を行う通常運転と、エアフィルタ（40）の清掃を行うフィルタ清掃運転とが切換可能に構成されている。
【００５２】
先ず、通常運転では、圧縮機（30）、室外ファン（12）および室内ファン（39）が駆動される。室内ユニット（13）では、室内空気が吸込口（22）から吸い込まれてベルマウス（25）を通過した後、室内ファン（39）から吹き出される。この吹出空気は、室内熱交換器（37）の冷媒と熱交換して冷却または加熱された後、各吹出口（23）から室内へ供給される。
【００５３】
図１０（ａ）に示すように、上述した通常運転時において、エアフィルタ（40）は、ベルマウス（25）を覆う所定位置に配置される。したがって、吸込口（22）から吸い込まれた室内空気は、ベルマウス（25）に流入する前にエアフィルタ（40）を通過するが、その通過の際に塵埃が捕捉される。また、供給側ダクト（71）のダンパ（72）は閉じられており、室内ファン（39）から吹き出される空気が供給側ダクト（71）に流入することはない。したがって、室内ファン（39）から吹き出された空気の全部が室内熱交換器（37）へ供給されるので、そのファン（39）の運転効率の低下が防止される。
【００５４】
次に、フィルタ清掃運転（フィルタ清掃動作）について、図１０（ｂ）〜図１０（ｄ）を参照しながら説明する。フィルタ清掃運転では、エアフィルタ（40）に捕捉された塵埃を除去する塵埃除去動作と、除去された塵埃をケーシング（34）外へ搬送する塵埃搬送動作が行われる。
【００５５】
先ず、フィルタ清掃運転では、室内ファン（39）が停止される一方、塵埃除去手段（50）の２台の駆動モータ（56）が駆動されて、塵埃除去動作が行われる。この状態では、図１０（ｂ）に示すように、エアフィルタ（40）が第２巻取ドラム（54）に巻き取られて移動していく。そうすると、エアフィルタ（40）の容器用突片（44）が塵埃貯留容器（60）のフィルタ作用部（64）に接触し、塵埃貯留容器（60）が下向きに回動する。これにより、塵埃貯留容器（60）の後方側とガイド部材（57）との間が開口するため、特にフィルタ本体（41）は塵埃貯留容器（60）に干渉することなく回転ブラシ（51）とガイド部材（57）との間を通過する。したがって、フィルタ本体（41）が塵埃貯留容器（60）に干渉することによって塵埃が除去され、吸込グリル（29）から室内へ落下するのを防止できる。また、塵埃貯留容器（60）と供給側ダクト（71）および排出側ダクト（74）とは、それぞれフレキシブル管（73,75）で接続されているので、塵埃貯留容器（60）の回動動作によって寸断されることはない。
【００５６】
フィルタ本体（41）は、塵埃貯留容器（60）とガイド部材（57）の間を通過する際、回転ブラシ（51）によって塵埃が除去される。除去された塵埃は、塵埃貯留容器（60）に貯留される。この状態において、ダンパ（72）は未だ閉じられている。そして、フィルタ本体（41）の全体が回転ブラシ（51）を通過すると、自動的に各駆動モータ（56）が逆回転で駆動してエアフィルタ（40）が巻き戻される（図１０（ｃ）参照）。つまり、エアフィルタ（40）が第１巻取ドラム（53）に巻き取られる。なお、駆動モータ（56）の回転方向が切り換わるまで、エアフィルタ（40）の容器用突片（44）がフィルタ作用部（64）に接触し続けるので、塵埃貯留容器（60）は下向きに回動したままである。
【００５７】
エアフィルタ（40）が巻き戻されて所定位置に戻ると、エアフィルタ（40）の容器用突片（44）がフィルタ作用部（64）から離隔し、塵埃貯留容器（60）が上向きに回動して元の状態に戻る。つまり、塵埃貯留容器（60）の後方側とガイド部材（57）との間がシールされる。そして、エアフィルタ（40）が所定位置に戻ると、室内ファン（39）が再び駆動されて、塵埃搬送動作が行われる。
【００５８】
室内ファン（39）が再駆動されると、エアフィルタ（40）がさらに第１巻取ドラム（53）に巻き取られる。つまり、図１０において、エアフィルタ（40）が所定位置から右方向に移動する。エアフィルタ（40）が移動すると、エアフィルタ（40）のダンパ用突片（43）が供給側ダクト（71）のフィルタ作用部（81a）に接触する。そうすると、図１０（ｄ）に示すように、供給側ダクト（71）の開閉用レバー（81）が回動して、ダンパ（72）の開閉蓋（72a）が開く。なお、このとき駆動モータ（56）は停止される。
【００５９】
ダンパ（72）が開くと、室内ファン（39）から吹き出された空気の一部が供給側ダクト（71）に流入して、塵埃貯留容器（60）へ供給される。塵埃貯留容器（60）へ流れ込んだ空気は、塵埃と共に排出側ダクト（74）へ流れて天井裏に排出される。こうして、塵埃貯留容器（60）に貯留された塵埃がケーシング（34）外に排出される。その際、塵埃貯留容器（60）とガイド部材（57）との間がシールされているため、塵埃貯留容器（60）に供給された空気がブラシ用開口（62）から流出することはない。
【００６０】
この塵埃の排出動作中は、供給側ダクト（71）から塵埃貯留容器（60）へ流れた空気の流速（即ち、塵埃貯留容器（60）における風速）が風速センサ（S）によって検出される。排出動作の初期時は、塵埃貯留容器（60）に塵埃が多量に貯留されているため、風速センサ（S）の検出値が低い。つまり、貯留された塵埃によって空気の流通抵抗が大きくなり、風速が小さくなる。その後、塵埃貯留容器（60）の塵埃が空気と共に排出されていくに従って、空気の流通抵抗が低下していき、風速が増大していく。そして、風速センサ（S）の検出値（風速）が所定値以上になると、塵埃貯留容器（60）における塵埃の全部または殆どが排出されたと判断して、排出動作が終了する。つまり、駆動モータ（56）が再び駆動されて、エアフィルタ（40）が所定位置に戻される。これにより、エアフィルタ（40）のダンパ用突片（43）が開閉レバー（81）のフィルタ作用部（81a）から離隔し、ダンパ（72）が閉じられる。このように、室内ユニット（13）では、塵埃貯留容器（60）や各ダクト（71,74）における風速に基づいて、塵埃貯留容器（60）の塵埃貯留量を推定し、塵埃の排出動作の終了タイミングが計られる。以上により、フィルタ清掃運転が終了する。
【００６１】
また、上述した塵埃の排出動作が開始されてから（即ち、室内ファン（39）が再駆動され、ダンパ（72）が開いてから）、所定時間が経過しても、風速センサ（S）の検出値が所定値以上にならない場合、排出動作が強制終了される。この場合は、風速が所定値以上にならずに、塵埃貯留容器（60）における塵埃の全部または殆どが排出されるであろう所定時間が経過すると、塵埃貯留容器（60）、供給側ダクト（71）や排出側ダクト（74）において詰まりが生じたと判断される。そして、点検によって詰まりが除去された後、塵埃の排出動作が再開される。
【００６２】
−実施形態の効果−
本実施形態では、室内ファン（39）の吹出空気が塵埃貯留容器（60）へ導入されてその塵埃貯留容器（60）から塵埃が排出される空気通路において風速センサ（S）を設けるようにした。したがって、塵埃の排出動作中において、塵埃貯留容器（60）や、供給側ダクト（71）および排出側ダクト（74）における空気の流通抵抗の変化を検知することができる。この流通抵抗の変化に基づいて、塵埃貯留容器（60）における塵埃貯留量（即ち、塵埃の充填度）を推測することができる。その結果、塵埃の排出動作の終了タイミングを適切に計ることができ、無駄のないフィルタ清掃運転を行うことができる。
【００６３】
さらに、空気の流通抵抗の変化に基づいて、各ダクト（71,74）等における塵埃等による詰まりを推測することができる。したがって、空気流通の不具合を早期に検出することができるので、信頼性の高い室内ユニット（13）を提供することができる。
【００６４】
また、本実施形態では、風速センサ（S）を塵埃貯留容器（60）における塵埃貯留部よりも上流側に設けるようにした。したがって、塵埃が存在しない場所での空気流速を検出することができる。これにより、風速センサ（S）のセンシングが塵埃によって影響を受けないため、風速の検出精度が高まる。その結果、塵埃の排出動作の終了タイミング等を一層適切に計ることができる。さらに、塵埃による風速センサ（S）の劣化を抑制することができる。以上により、室内ユニットの信頼性を一層向上させることができる。
【００６５】
また、本実施形態では、室内ファン（39）の吹出空気によって塵埃貯留容器（60）の塵埃をケーシング（34）外へ搬送（排出）するようにした。つまり、本実施形態によれば、既存の室内ファン（39）を利用して塵埃を排出するようにした。したがって、吸引ファン等の搬送手段を別途設けることなく、ユーザーによる塵埃の排出手間を省くことができる。これにより、ユニットの大型化を招くことなく、エアフィルタ（40）の塵埃をユニット外へ簡易に且つ低コストに排出させることができる。
【００６６】
また、本実施形態では、室内熱交換器（37）に流れる前の空気を塵埃貯留容器（60）に導入するようにした。したがって、例えば冷房時の場合、室内熱交換器（37）で冷却される前の空気を塵埃貯留容器（60）に導入するため、塵埃貯留容器（60）において冷気による結露発生を防止することができる。これにより、風速センサ（S）を結露から保護することができる。その結果、信頼性の向上をさらに図ることができると共に、結露防止手段を別途設ける必要がないため低コスト化および小型化を図ることができる。
【００６７】
さらに、本実施形態では、供給側ダクト（71）に開閉自在なダンパ（72）を設けるようにしたので、フィルタ清掃の必要なときにダンパ（72）を開くことで、室内ファン（39）の吹出空気を利用することができる。したがって、室内ファン（39）の吹出空気が無駄に塵埃貯留容器（60）に供給されるのを防止することができる。これにより、室内ファン（39）の運転効率低下を抑制することができ、省エネ化を図ることができる。また、通常運転時には、確実に室内ファン（39）の吹出空気の全部を室内へ供給することができ、居住者の快適性低下を抑制することができる。
【００６８】
特に、ダンパ（72）の開閉動作は、エアフィルタ（40）の移動動作を利用して自動的に行うようにしたので、一層ユーザーの手間を省くことができる。
【００６９】
また、塵埃を室内ユニット（13）から室内の天井裏に搬送して溜めるようにしたので、ユニットから排出された後の塵埃の処理（後始末）が不要になる。したがって、ユーザーの手間をさらに省くことができる。また、塵埃が天井裏に溜められるので、塵埃の収納容器等をユニット外（室内）に設けなくてもよく、装置のコンパクト化および室内環境の維持を図ることができる。
【００７０】
《実施形態の変形例》
−変形例１−
本変形例１は、図１１に示すように、上記実施形態において供給側ダクト（71）のダンパ（72）に集風板（91）を設けるようにしたものである。具体的に、集風板（91）は、縦長の凹面板であり、ダンパ（72）の入口の半周囲部に設けられている。そして、集風板（91）は、凹面（91a）が室内ファン（39）の吹出方向に対向するように配置されている。この変形例では、室内ファン（39）の吹出空気が集風板（91）によって確実に捕捉される。したがって、室内ファン（39）の吹出空気がダンパ（72）から供給側ダクト（71）に流入しやすく（導入されやすく）なる。これにより、塵埃貯留容器（60）への空気の供給量（導入量）が増大するので、塵埃が排出されやすくなる。その結果、塵埃の排出効率（搬送効率）が向上し、フィルタ清掃運転時間が短縮される。
【００７１】
−変形例２−
本変形例２は、図１２に示すように、ケーシング（34）外に設置した塵埃捕集箱（92）に塵埃を搬送して溜めるようにしたものである。具体的に、塵埃捕集箱（92）は、天井裏においてケーシング（34）の側面に取り付けられている。塵埃捕集箱（92）は、ケーシング（34）内から延びる排出側ダクト（74）が接続され、塵埃貯留容器（60）から塵埃が搬送されて貯留されるようになっている。この塵埃捕集箱（92）の容積は、塵埃貯留容器（60）よりも十分大きいものである。したがって、塵埃貯留容器（60）よりも多量の塵埃が貯留される。つまり、塵埃貯留容器（60）は、エアフィルタ（40）の下方、即ち吸込空気の通路の近傍に配置されるため、空気流れの邪魔にならないよう可能な限り容積を小さくする必要がある。そのため、塵埃貯留容器（60）にはそれ程多くの塵埃を溜めることができない。本変形例では、塵埃捕集箱（92）に多量の塵埃を溜めることができ、塵埃を廃棄する頻度を減少させることができる。さらに、塵埃捕集箱（92）を天井裏に設置するようにしたので、室内環境に影響を及ぼすことなく、塵埃捕集箱（92）の容積を十分に確保することができる。
【００７２】
また、塵埃捕集箱（92）には、貯留された塵埃を取り出すための取出部（93）が設けられている。この取出部（93）は、化粧パネル（27）に形成されたアジャスタポケット（27a）を通して掃除機等により塵埃を吸い出せる（取り出せる）ようになっている。これにより、定期的に、塵埃捕集箱（92）の塵埃を廃棄することができる。アジャスタポケット（27a）は、一般に、点検やメンテナンスのために設けられた室内と天井裏との連通口であり、化粧パネル（27）の各コーナー部（角部）に形成されている。なお、通常時、アジャスタポケット（27a）はカバーで閉じられている。このように、本変形例は、従来より設けられているアジャスタポケット（27a）を利用して塵埃捕集箱（92）に溜まった塵埃を取り出すようにしている。
【００７３】
なお、本変形例においては、塵埃捕集箱（92）をケーシング（34）内に配置するようにしてもよい。この場合、塵埃捕集箱（92）は、例えば、吸込グリル（29）を開けることで掃除機等で塵埃を取り出し可能な箇所に設けられる。
【００７４】
−変形例３−
本変形例３は、上記実施形態のフィルタ清掃運転における塵埃搬送時に、風向調整板（23a）を調整して各吹出口（23）の通風抵抗が最大になるようにしたものである。この場合、フィルタ清掃運転において、各吹出口（23）の通風抵抗が最大に（大きく）なるので、吹出口（23）の吹出量が通常運転時よりも大幅に減少する。そして、その減少した分、供給側ダクト（71）への空気流入量が増大する。したがって、塵埃貯留容器（60）へ供給される空気量が増大する。これにより、塵埃貯留容器（60）の貯留された塵埃の排出効率（搬送効率）が向上し、フィルタ清掃運転時間が短縮される。
【００７５】
なお、本変形例では、各吹出口（23）を風向調整板（23a）によって閉鎖して、吹出口（23）の吹出量をゼロ（略ゼロ）にするようにしてもよい。その場合、供給側ダクト（71）への空気流入量がさらに増大するので、塵埃の排出効率（搬送効率）を一層向上させることができる。
【００７６】
−変形例４−
本変形例４は、上記実施形態のフィルタ清掃運転における塵埃搬送時に、室内ファン（39）の運転回転数を最大にするようにしたものである。この場合、フィルタ清掃運転において、供給側ダクト（71）への空気流入量が増大する。したがって、塵埃貯留容器（60）の塵埃の排出効率が向上する。
【００７７】
なお、本変形例では、室内ファン（39）を最大回転数で運転しないまでも、通常運転時よりも高い運転回転数で運転するようにしてもよい。
【００７８】
−変形例５−
本変形例５は、上記実施形態のフィルタ清掃運転における塵埃搬送時に、圧縮機（30）を停止するようにしたものである。つまり、フィルタ清掃運転時には、室内熱交換器（37）への冷媒の供給を停止する。そうすると、室内熱交換器（37）において空気が冷却または加熱されない。これにより、過度に冷却または加熱された空気が室内へ供給されるのを防止することができ、居住者の快適性を維持することができる。
【００７９】
つまり、フィルタ清掃運転時には、室内ファン（39）の吹出空気の一部が室内熱交換器（37）をバイパスして供給側ダクト（71）へ導入されるため、室内熱交換器（37）への空気供給量が通常運転時よりも減少する。このままでは、室内熱交換器（37）において、空気が過度に冷却または加熱され、居住者の快適性が損なわれるが、圧縮機（30）を停止することによりそれを防止することができる。また、室内熱交換器（37）で空気が過度に冷却されると、室内熱交換器（37）に露付き（結露）が生じるおそれがあるが、その不具合も防止することができる。
【００８０】
−変形例６−
本変形例６は、上記実施形態において、供給側ダクト（71）を省略し、室内ファン（39）の吹出空気を塵埃貯留容器（60）に直接導入するようにしたものである。この場合、塵埃貯留容器（60）には、室内ファン（39）の吹出空気が導入される導入口が形成され、その導入口を開閉するダンパが設けられる。この変形例によれば、供給側ダクト（71）が省略された分、室内ユニット（13）の小型化を図ることができる。
【００８１】
−変形例７−
本変形例７は、塵埃貯留容器（60）に設けられた回転ブラシ（51）の構成および塵埃の除去方法を変更するようにしたものである。図１３に示すように、本変形例の塵埃貯留容器（60）には、回転ブラシ（51）と非回転ブラシ（5）がブラシ用開口（53）に設けられている。
【００８２】
上記回転ブラシ（51）は、細長い円柱状のシャフト部（51a）と、該シャフト部（51a）の外周面に取り付けられたブラシ部（51b）とを備えている。ブラシ部（51b）は、シャフト部（51a）の周方向における一部分に設けられると共に、シャフト部（51a）の長さ方向に亘って設けられている。ブラシ部（51b）は、いわゆるパイル織物で構成されている。このパイル織物は、基布に毛（パイル糸）が織り込まれて成る有毛繊維であり、毛足が比較的短い。そして、このパイル織物は、毛並みが図１３の状態で後方へ向かって傾斜する傾斜パイルである。つまり、ブラシ部（51b）の毛並みは、フィルタ本体（41）が前方へ移動する際に、該フィルタ本体（41）に対向するように傾斜している。回転ブラシ（51）は、ブラシ部（51b）がフィルタ本体（41）に接触するように構成されている。ブラシ部（51b）は、毛並みに対してフィルタ本体（41）が対向するように移動すると、フィルタ本体（41）の塵埃が効率よく除去（捕捉）される。一方、ブラシ部（51b）の毛並みに対してその傾斜方向にフィルタ本体（41）が移動すると、フィルタ本体（41）の塵埃は除去されず、逆にブラシ部（51b）に捕捉されている塵埃が除去される。なお、回転ブラシ（51）は、図示しないモータ等の駆動手段によって、シャフト部（51a）の軸心を中心として可逆に回転駆動される。
【００８３】
上記非回転ブラシ（5）は、回転ブラシ（51）の後方側に配置されている。非回転ブラシ（5）は、本体部（5a）と、ブラシ部（5b）と、バネ部（5c）とを備えている。本体部（5a）は、板状部材であり、回転ブラシ（51）のシャフト部（51a）と同じ長さに形成されている。本体部（5a）は、その板面が回転ブラシ（51）に対面して設けられている。また、本体部（5a）の上部は、回転ブラシ（51）のシャフト部（51a）の外周に対応する円弧部となっている。この本体部（5a）の円弧部には、本体部（5a）の長さ方向に亘ってブラシ部（5b）が設けられている。ブラシ部（5b）は、パイル織物の傾斜パイルで構成され、毛並みが図１３における下側に向かって傾斜している。そして、このブラシ部（5b）は、回転ブラシ（51）が回転することによって回転ブラシ（51）のブラシ部（51b）と接触するように構成されている。バネ部（5c）は、本体部（5a）の下端に設けられて、塵埃貯留容器（60）の内壁に取り付けられている。つまり、本体部（5a）は、バネ部（5c）によって支持されている。この非回転ブラシ（5）は、回転ブラシ（51）によって除去された塵埃をその回転ブラシ（51）から除去するためのものである。
【００８４】
次に、上記回転ブラシ（51）による塵埃の除去動作について、図１４を参照しながら説明する。この塵埃の除去動作は、上記実施形態におけるフィルタ清掃運転時の図１０（ｂ）の段階（即ち、フィルタ本体（41）が前方へ移動する段階）に行われる。そして、上記実施形態の図１０（ｂ）では、エアフィルタ（40）を前方へ連続的に移動させたが、この変形例では、エアフィルタ（40）を前方へ間欠的に移動させる。
【００８５】
具体的には、先ず、図１４（ｂ１）に示すように、フィルタ本体（41）が駆動モータ（56）によって前方へ移動する。その際、回転ブラシ（51）は、ブラシ部（51b）がブラシ用開口（53）に露出する状態で停止している。つまり、回転ブラシ（51）のブラシ部（51b）がフィルタ本体（41）の真下に位置して該フィルタ本体（41）に接触する状態で回転ブラシ（51）が停止している。
【００８６】
そして、フィルタ本体（41）は、所定距離だけ移動すると停止する（図１４（ｂ２）を参照）。このフィルタ本体（41）の移動により、フィルタ本体（41）の塵埃がブラシ部（51b）に捕捉される（図１４（ｂ２）を参照）。つまり、フィルタ本体（41）において回転ブラシ（51）のブラシ部（51b）を通過した領域の塵埃が除去される。ここで、ブラシ部（51b）の毛並みがフィルタ本体（41）の進行方向とは逆の方向（即ち、後方）へ向かって傾斜しているため、フィルタ本体（41）の塵埃がブラシ部（51b）によって容易に掻き取られる。よって、回転ブラシ（51）による塵埃の除去効率が向上する。
【００８７】
フィルタ本体（41）が停止すると、図１４（ｂ３）に示すように、回転ブラシ（51）は図１４における右回り（時計回り）に回転する。その際、回転ブラシ（51）は、ブラシ部（51b）に塵埃を捕捉したまま回転する。また、回転ブラシ（51）と非回転ブラシ（5）のブラシ部（51b,5b）同士が接触しながら、回転ブラシ（51）が回転する。そして、回転ブラシ（51）は、所定の回転角度だけ回転すると停止する。つまり、回転ブラシ（51）は、少なくとも、ブラシ部（51b）の周方向における左端部（図１４（ｂ２）において左側の端部）が非回転ブラシ（5）のブラシ部（5b）に接触するまで回転する。
【００８８】
次に、回転ブラシ（51）は、図１４（ｂ４）に示すように、上記とは逆回り（即ち、反時計回り）に回転する。そうすると、回転ブラシ（51）のブラシ部（51b）に捕捉されていた塵埃が非回転ブラシ（5）のブラシ部（5b）によって除去される。これは、非回転ブラシ（5）のブラシ部（5b）の毛並みが下向き、即ち毛並みが回転ブラシ（51）の回転方向に対向する向きに傾斜しているため、回転ブラシ（51）のブラシ部（51b）から塵埃が掻き取られる（除去される）。また、双方のブラシ部（51b,5b）同士が接触することによって非回転ブラシ（5）の本体部（5a）が後方へ押されるが、バネ部（5c）によって本体部（5a）が前方へ付勢される。これにより、ブラシ部（51b,5b）同士が離隔することはなく、非回転ブラシ（5）が適切に回転ブラシ（51）に押し付けられる。したがって、回転ブラシ（51）のブラシ部（51b）から塵埃がより確実に除去される。以上により、非回転ブラシ（5）のブラシ部（5b）に塵埃が捕捉される。回転ブラシ（51）は、元の状態（図１４（ｂ２）の状態）まで回転して停止する。
【００８９】
続いて、回転ブラシ（51）は、図１４（ｂ５）に示すように、再び右回り（時計回り）に所定の回転角度だけ回転する。そうすると、非回転ブラシ（5）のブラシ部（5b）に捕捉されていた塵埃が回転ブラシ（51）のブラシ部（51b）によって掻き取られ、塵埃貯留容器（60）の底に落下する。これは、回転ブラシ（51）のブラシ部（51b）の毛並みが回転方向に向かって傾斜しているため、非回転ブラシ（5）のブラシ部（5b）から塵埃が確実に掻き取られる。その際も、上記と同様に、バネ部（5c）によって非回転ブラシ（5）が回転ブラシ（51）に適切に押し付けられるため、非回転ブラシ（5）から塵埃がより確実に除去される。以上により、非回転ブラシ（5）のブラシ部（5b）から塵埃が除去されて塵埃貯留容器（60）に貯留される。回転ブラシ（51）は、所定の回転角度だけ回転すると、再び左回り（反時計回り）に回転して元の状態（図１４（ｂ１））に戻り、再びフィルタ本体（41）が所定距離だけ移動し、上述した動作を繰り返す。
【００９０】
このように、本変形例では、回転ブラシ（51）のブラシ部（51b）をパイル織物で構成するようにした。したがって、ブラシ部（51b）の毛足が短いため、塵埃貯留容器（60）内において空気（即ち、室内ファン（39）の吹出空気）の流通抵抗が削減される。これにより、塵埃貯留容器（60）に貯留された塵埃の搬送効率を向上させることができる。
【００９１】
さらに、本変形例では、ブラシ部（51b）をシャフト部（51a）の周方向における一部分に設けるようにした。したがって、シャフト部（51a）の全周に設ける場合に比べて、塵埃貯留容器（60）内における空気の流通抵抗が一層削減され、塵埃の搬送効率が一層向上する。
【００９２】
また、本変形例では、回転ブラシ（51）に捕捉された塵埃を除去するための非回転ブラシ（5）を設けるようにした。したがって、確実に回転ブラシ（51）から塵埃を除去して塵埃貯留容器（60）内に貯留させることができる。
【００９３】
このように、フィルタ本体（41）が間欠的に移動し、その停止毎に回転ブラシ（51）に捕捉された塵埃が除去されて塵埃貯留容器（60）に貯留される。上記実施形態のように、フィルタ本体（41）を連続的に移動させて塵埃を除去しようとすると、回転ブラシ（51）に捕捉される塵埃量が徐々に増大する。そのため、回転ブラシ（51）による除去効率が徐々に低下してしまう。ところが、本変形例では、フィルタ本体（41）の塵埃を数回に分けて除去し、その都度回転ブラシ（51）に捕捉された塵埃を除去するようにした。したがって、回転ブラシ（51）の除去効率を低下させることなく、フィルタ本体（41）の塵埃を除去することができる。その結果、確実にエアフィルタ（40）の塵埃を除去して塵埃貯留容器（60）に貯留させることができる。
【００９４】
《その他の実施形態》
上記実施形態は、以下のように構成してもよい。
【００９５】
例えば、上記実施形態では、風速センサ（S）を塵埃貯留容器（60）における塵埃貯留部よりも上流側に設けるようにしたが、本発明はこれに限らず、塵埃貯留容器（60）、供給側ダクト（71）および排出側ダクト（74）の何れの箇所に設けるようにしてもよい。
【００９６】
また、上記実施形態では、室内天井に設置される室内ユニット（13）について説明したが、本発明はこれに限らず、室内の壁に設置されるいわゆる壁掛け式の室内ユニットであっても適用することができる。
【００９７】
また、上記実施形態では、移動するエアフィルタ（40）を利用して供給側ダクト（71）のダンパ（72）を開閉するようにしたが、これ限らず、エアフィルタ（40）を移動させる駆動モータ（56）を利用してダンパ（72）を開閉するようにしてもよい。
【００９８】
また、上記実施形態において、供給側ダクト（71）のダンパ（72）を省略して、塵埃貯留容器（60）より下流側（例えば、排出側ダクト（74）の途中）に通路を開閉する開閉手段を設けるようにしてもよい。この場合、通常運転時およびフィルタ清掃運転時の別に関係なく、常に塵埃貯留容器（60）には供給側ダクト（71）を通じて室内ファン（39）の吹出空気が導入される。ところが、塵埃貯留容器（60）の下流側に設けた開閉手段を通常運転時には閉じ、フィルタ清掃運転時には開くようにすれば、その清掃運転時にのみ、塵埃貯留容器（60）の塵埃をケーシング（34）外へ搬送（排出）させることができる。
【００９９】
また、上記実施形態では、室内熱交換器（37）を通過する前の室内ファン（39）の吹出空気を供給側ダクト（71）に導入するようにしたが、本発明は、室内熱交換器（37）を通過した後の空気を供給側ダクト（71）に導入するようにしても、同様の塵埃搬送動作を行うことができる。なお、この場合、例えば冷房中であれば、室内熱交換器（37）で冷却された空気が供給側ダクト（71）等を流れるため、これら供給側ダクト（71）等に結露が生じる。したがって、この場合、結露を防止するために、供給側ダクト（71）や塵埃貯留容器（60）を断熱材で覆うようにしてもよい。
【０１００】
なお、以上の実施形態は、本質的に好ましい例示であって、本発明、その適用物、あるいはその用途の範囲を制限することを意図するものではない。
【産業上の利用可能性】
【０１０１】
以上説明したように、本発明は、フィルタの塵埃除去機能を備えた空気調和装置の室内ユニットとして有用である。
【図面の簡単な説明】
【０１０２】
【図１】本発明の実施形態に係る空気調和装置の構成を示す配管系統図である。
【図２】本発明の実施形態に係る室内ユニットの縦断面図である。
【図３】本発明の実施形態に係る室内ユニットの横断面図である。
【図４】図３のＡ−Ａ位置における縦断面図である。
【図５】本発明の実施形態に係る化粧パネルを下側から視て示す斜視図である。
【図６】本発明の実施形態に係るエアフィルタを示す平面図である。
【図７】本発明の実施形態に係る塵埃貯留容器を後方から視て示す斜視図である。
【図８】本発明の実施形態に係る塵埃貯留容器の回動機構を示す図であり、（ａ）はを非回動時の状態を示し、（ｂ）は回動時の状態を示す。
【図９】本発明の実施形態に係る供給側ダクトのダンパの開閉機構を示す図であり、（ａ）はダンパ閉時の状態を示し、（ｂ）はダンパ開時の状態を示す。
【図１０】本発明の実施形態に係るフィルタ清掃運転の動作を示す図であり、（ａ）は通常運転時の状態を、（ｂ）はフィルタ巻取り時の状態を、（ｃ）はフィルタ巻戻し時の状態を、（ｄ）は塵埃排出時の状態をそれぞれ示す。
【図１１】実施形態の変形例１に係る集風板を示す斜視図である。
【図１２】実施形態の変形例２に係る室内ユニットを示す図であり、（ａ）は天井裏から視た平面図であり、（ｂ）は側面図である。
【図１３】実施形態の変形例７に係る塵埃貯留容器および回転ブラシの構成を示す横断面図である。
【図１４】実施形態の変形例７に係る回転ブラシによる塵埃の除去動作を、（ｂ１）〜（ｂ５）の順で示す横断面図である。
【符号の説明】
【０１０３】
10          空気調和装置
13          室内ユニット
34          ケーシング
37          室内熱交換器
39          室内ファン
40          エアフィルタ
50          塵埃除去手段
60          塵埃貯留容器
71          供給側ダクト（空気通路）
72          ダンパ（開閉手段）
74          排出側ダクト（空気通路）
S           風速センサ（流速検出手段）
【図１】
2009103342.tif 000003
【図２】
2009103342.tif 000004
【図３】
2009103342.tif 000005
【図４】
2009103342.tif 000006
【図５】
2009103342.tif 000007
【図６】
2009103342.tif 000008
【図７】
2009103342.tif 000009
【図８】
2009103342.tif 000010
【図９】
2009103342.tif 000011
【図１０】
2009103342.tif 000012
【図１１】
2009103342.tif 000013
【図１２】
2009103342.tif 000014
【図１３】
2009103342.tif 000015
【図１４】
2009103342.tif 000016